(57)【特許請求の範囲】
【請求項１】
光学ファインダを有する撮像装置であって、
該装置の背面ディスプレイに設けられたタッチパネルと、
前記光学ファインダを覗く眼が右眼であるか左眼であるかの情報を登録する登録手段と、
前記登録手段によって右眼であるという情報が登録されている場合は、前記タッチパネルのうち接触による入力が不可能な入力不可能領域を右眼用の範囲に設定し、前記登録手段によって左眼であるという情報が登録されている場合は、前記入力不可能領域を左眼用の範囲に設定する設定手段と、
前記タッチパネルのうち前記入力不可能領域への接触に応じた動作を行わないよう制御し、前記タッチパネルのうち前記入力不可能領域以外の領域への接触に応じた動作を行うよう制御する制御手段とを有し、
前記右眼用の範囲以外の範囲は、前記タッチパネルの全範囲のうち、前記光学ファインダを覗き込む方向から見て、かつ、当該撮像装置が正位置である場合に、該光学ファインダよりも右に偏った範囲であり、前記左眼用の範囲以外の範囲は、前記タッチパネルの全範囲のうち、前記光学ファインダを覗き込む方向から見て、かつ、当該撮像装置が正位置である場合に、該光学ファインダよりも左に偏った範囲であることを特徴とする撮像装置。
【請求項２】
前記光学ファインダへの接眼を検出する検出手段を有し、
前記設定手段は、前記接眼が検出されたときに前記入力不可能領域を設定することを特徴とする請求項１に記載の撮像装置。
【請求項３】
前記設定手段は、前記検出手段により前記光学ファインダからの離眼が検出されたときに前記入力不可能領域の設定を解除することを特徴とする請求項２に記載の撮像装置。
【請求項４】
前記右眼用の範囲以外の範囲の左端は、前記タッチパネルの全範囲のうち、前記光学ファインダの覗き窓の左端部分よりも右側であり、前記左眼用の範囲以外の範囲の右端は、前記タッチパネルの全範囲のうち、前記光学ファインダの覗き窓の右端部分よりも左側であることを特徴とする請求項１から３のいずれか１項に記載の撮像装置。
【請求項５】
前記撮像装置の姿勢が縦位置で使用されているか横位置で使用されているかを判定する判定手段を更に有し、
前記設定手段は、前記判定手段の判定に応じて異なる範囲に入力不可能領域を設定することを特徴とする請求項１から４のうちいずれか一つに記載の撮像装置。
【請求項６】
光学ファインダと、タッチパネル式の背面ディスプレイとを有する撮像装置の制御方法であって、
前記光学ファインダを覗く眼が右眼であるか左眼であるかの情報を登録する登録ステップと、
前記登録ステップによって右眼であるという情報が登録されている場合は、前記タッチパネルのうち接触による入力が不可能な入力不可能領域を右眼用の範囲に設定し、前記登録ステップによって左眼であるという情報が登録されている場合は、前記入力不可能領域を左眼用の範囲に設定する設定ステップと、
前記タッチパネルのうち前記入力不可能領域への接触に応じた動作を行なわないよう制御し、前記タッチパネルのうち前記入力不可能領域以外の領域への接触に応じた動作を行うよう制御する制御ステップとを有し、
前記右眼用の範囲以外の範囲は、前記タッチパネルの全範囲のうち、前記光学ファインダを覗き込む方向から見て、かつ、当該撮像装置が正位置である場合に、該光学ファインダよりも右に偏った範囲であり、前記左眼用の範囲以外の範囲は、前記タッチパネルの全範囲のうち、前記光学ファインダを覗き込む方向から見て、かつ、当該撮像装置が正位置である場合に、該光学ファインダよりも左に偏った範囲であることを特徴とする撮像装置の制御方法。
【請求項７】
光学ファインダと、タッチパネル式の背面ディスプレイとを有する撮像装置に、
前記光学ファインダを覗く眼が右眼であるか左眼であるかの情報を登録する登録ステップと、
前記登録ステップによって右眼であるという情報が登録されている場合は、前記タッチパネルのうち接触による入力が不可能な入力不可能領域を右眼用の範囲に設定し、前記登録ステップによって左眼であるという情報が登録されている場合は、前記入力不可能領域を左眼用の範囲に設定する設定ステップと、
前記タッチパネルのうち前記入力不可能領域への接触に応じた動作を行なわないよう制御し、前記タッチパネルのうち前記入力不可能領域以外の領域への接触に応じた動作を行うよう制御する制御ステップとを実行させるためのプログラムを記録したコンピュータが読み取り可能な記録媒体であって、
前記右眼用の範囲以外の範囲は、前記タッチパネルの全範囲のうち、前記光学ファインダを覗き込む方向から見て、かつ、当該撮像装置が正位置である場合に、該光学ファインダよりも右に偏った範囲であり、前記左眼用の範囲以外の範囲は、前記タッチパネルの全範囲のうち、前記光学ファインダを覗き込む方向から見て、かつ、当該撮像装置が正位置である場合に、該光学ファインダよりも左に偏った範囲であることを特徴とする記録媒体。
【請求項８】
光学ファインダと、タッチパネル式の背面ディスプレイとを有する撮像装置に、
前記光学ファインダを覗く眼が右眼であるか左眼であるかの情報を登録する登録ステップと、
前記登録ステップによって右眼であるという情報が登録されている場合は、前記タッチパネルのうち接触による入力が不可能な入力不可能領域を右眼用の範囲に設定し、前記登録ステップによって左眼であるという情報が登録されている場合は、前記入力不可能領域を左眼用の範囲に設定する設定ステップと、
前記タッチパネルのうち前記入力不可能領域への接触に応じた動作を行なわないよう制御し、前記タッチパネルのうち前記入力不可能領域以外の領域への接触に応じた動作を行うよう制御する制御ステップとを実行させるプログラムであって、
前記右眼用の範囲以外の範囲は、前記タッチパネルの全範囲のうち、前記光学ファインダを覗き込む方向から見て、かつ、当該撮像装置が正位置である場合に、該光学ファインダよりも右に偏った範囲であり、前記左眼用の範囲以外の範囲は、前記タッチパネルの全範囲のうち、前記光学ファインダを覗き込む方向から見て、かつ、当該撮像装置が正位置である場合に、該光学ファインダよりも左に偏った範囲であることを特徴とするプログラム。
【発明の詳細な説明】
【技術分野】
【０００１】
本発明は、デジタルカメラ等の撮像装置に関し、特に背面にタッチパネルが設けられた撮像装置に関する。
【背景技術】
【０００２】
カメラには、光学ファインダとは別に、被写体構図を決定するための電子ビューファインダとして用いられたり撮像により取得された画像を確認したりする背面ディスプレイが設けられているものが多い。
【０００３】
また、背面ディスプレイに、撮像モード選択や各種設定を行うためのタッチパネル操作機能を設けたカメラもある（特許文献１参照）。
【特許文献１】特開２００７−８６４６０号公報
【発明の開示】
【発明が解決しようとする課題】
【０００４】
一眼レフカメラのように、ユーザが光学ファインダを通して被写体を確認しながら撮像を行うカメラにおいて、ユーザは自身の利き眼で光学ファインダを覗くことが多い。しかしながら、最近の背面ディスプレイの大型化により、左右いずれの眼で光学ファインダを覗いても顔の一部（鼻等）が背面ディスプレイの表示面に接触する。この場合、背面ディスプレイのほぼ全面においてタッチパネル操作が可能となっていると、該操作が有効に受け付けられてカメラが誤動作するおそれがある。
【０００５】
本発明は、光学ファインダを覗いたユーザの顔の一部がタッチパネルに接触したときの誤動作を回避できるようにした撮像装置を提供する。
【課題を解決するための手段】
【０００６】
本発明の一側面としての撮像装置は、該装置の背面ディスプレイに設けられたタッチパネルと、光学ファインダを覗く眼が右眼であるか左眼であるかの情報を登録する登録手段と、該登録手段によって右眼であるという情報が登録されている場合は、タッチパネルのうち接触による入力が不可能な入力不可能領域を右眼用の範囲に設定し、登録手段によって左眼であるという情報が登録されている場合は、入力不可能領域を左眼用の範囲に設定する設定手段と、タッチパネルのうち入力可能領域への接触に応じた動作を行わないよう制御し、タッチパネルのうち入力可能領域以外の領域への接触に応じた動作を行うよう制御する制御手段とを有する。そして、右眼用の範囲以外の範囲は、タッチパネルの全範囲のうち、光学ファインダを覗き込む方向から見て、かつ、撮像装置が正位置である場合に、光学ファインダよりも右に偏った範囲であり、左眼用の範囲以外の範囲は、タッチパネルの全範囲のうち、光学ファインダを覗き込む方向から見て、かつ、撮像装置が正位置である場合に、光学ファインダよりも左に偏った範囲であることを特徴とする。
【発明の効果】
【０００７】
本発明によれば、光学ファインダを覗いているユーザの顔の一部がタッチパネルにおける入力可能領域以外の領域に接触したとき場合には、その接触は有効な操作として受け付けられず、該接触に応じた動作も行われない。このため、撮像装置の誤動作を回避できる。一方、入力可能領域に接触すれば、有効な操作として受け付けられ、該接触に応じた動作が行われるので、ユーザは快適にタッチパネル操作を行うことができる。
【発明を実施するための最良の形態】
【０００８】
以下、本発明の好ましい実施例について図面を参照しながら説明する。
【実施例１】
【０００９】
図１には、本発明の実施例である撮像装置としてのデジタル一眼レフカメラを含むカメラシステムの外観を示す。また、図２には、該カメラシステムの内部構成を示す。
【００１０】
図１において、１００はデジタル一眼レフカメラ（以下、カメラ本体という）である。カメラ本体１００の上部には、アクセサリシュー１１０、光学ファインダ１０４、ＡＥ（自動露出）ロックボタン１１２、ＡＦを行う焦点検出領域を選択するための焦点検出領域選択ボタン１１３、及び撮像動作を指示するレリーズボタン１１４が設けられている。
【００１１】
また、カメラ本体１００の上部には、電子ダイヤル４１１、モードダイヤル６０及び外部表示ユニット４０９も設けられている。電子ダイヤル４１１は、他の操作ボタンとともに操作されることによってカメラ動作に関する数値を入力したり撮像モードを切り換えたりするための入力部である。また、外部表示ユニット４０９は、液晶パネル等により構成され、シャッタスピード値、絞り値、撮像モード等の撮像条件その他の情報を表示する。
【００１２】
カメラ本体１００の背面には、撮像により取得された画像や各種設定画面等を表示する背面ディスプレイとしてのＬＣＤモニタユニット４１７や、電源スイッチ７２が設けられている。
【００１３】
ＬＣＤモニタユニット４１７には透過型ＬＣＤが用いられており、その裏面には、図２に示すようにバックライト４１６が設けられている。ＬＣＤモニタユニット４１７とバックライト４１６により、図３に示す画像表示部２８が構成される。
【００１４】
ＬＣＤモニタ用タッチパネル４２２は、ＬＣＤモニタユニット４１７の前面に設けられている。ユーザのタッチ操作によってＬＣＤモニタユニット４１７の表示切り換えや各種設定を行うことができる。例えば、ＬＣＤモニタユニット４１７に表示されるメニュー項目の選択や該項目に関する設定の実行をカメラに指示したりすることができる。例えば、シャッタスピード値、絞り値、焦点検出領域、露出補正、調光補正、測光モード値、ドライブモード値、ＩＳＯ値、オートフォーカスモード値、ホワイトバランス及び露出補正ブラケット等の設定を行うことができる。
【００１５】
カメラ本体１００の前面にはマウント１０６（図３参照）が設けられており、該マウント１０６には、交換レンズ３００に設けられたマウント３０６が着脱可能に結合される。４０１は撮像光軸を示す。
【００１６】
交換レンズ３００には、複数のレンズにより構成されるレンズユニット３１０、絞り３１２が設けられている。
【００１７】
また、カメラ本体１００の内部において、ミラー１３０は撮像光路内に配置されて、レンズユニット３１０からの被写体光をファインダ光学系に向けて反射する位置（図２に示す位置）と撮像光路外に退避する位置との間で移動可能である。
【００１８】
ピント板２０４上には、ミラー１３０で反射された被写体光によって被写体像が形成される。２０５はファインダの視認性を向上させるためのコンデンサレンズ、１３２はペンタゴナルダハプリズムである。ペンタゴナルダハプリズム１３２は、ピント板２０４及びコンデンサレンズ２０５を通った被写体光を接眼レンズ２０８に導く。これらピント板２０４〜接眼レンズ２０８によって光学ファインダ１０４が構成される。ユーザは、接眼レンズ２０８を通してピント板２０４上に形成された被写体像を観察することができる。
【００１９】
２０９，２１０はそれぞれ、フォーカルプレンシャッタ１２（図３参照）を構成する後幕と先幕である。これら後幕２０９及び先幕２１０の開放によってその後方に配置された撮像素子１４が必要時間だけ露光される。撮像素子１４は、ＣＣＤセンサやＣＭＯＳセンサにより構成され、その前面には光学ローパスフィルタ４１８が配設されている。
【００２０】
また、撮像素子１４は、プリント基板２１１に接続されている。このプリント基板２１１の後方には、表示基板２１５が配置されている。表示基板２１５の反対側の面に、ＬＣＤモニタユニット４１７及びバックライト４１６が配置されている。
【００２１】
２００は撮像により取得された画像データを記録する記録媒体であり、半導体メモリやハードディスク等により構成される。８６は二次電池である。記録媒体２００及び電池８６は、カメラ本体１００に対して着脱が可能である。
【００２２】
６６は光学ファインダ１０４（接眼レンズ２０８）をユーザが覗いているか（接眼しているか）否かを検出する接眼検出部である。接眼検出部６６が接眼を検出すると、バックライト４１６の消灯やＬＣＤモニタユニット４１７の表示クリアが行われる。本実施例では、ＬＣＤモニタ用タッチパネル４２２は、ＬＣＤモニタユニット４１７が表示状態にあるか否かにかかわらず、タッチ操作を受け付ける。
【００２３】
なお、ＬＣＤモニタユニット４１７の表示内容や設定により、接眼検出部６６が接眼を検出しても、ＬＣＤモニタユニット４１７の表示内容やバックライト４１６の点灯／消灯状態が変更されない場合もある。
【００２４】
図３には、本実施例のデジタル一眼カメラシステム（カメラ本体１００及び交換レンズ３００）の回路構成を示す。なお、図１及び図２に示した構成要素については、図１及び図２と同符号を付す。
【００２５】
まず、交換レンズ３００内の回路構成について説明する。交換レンズ３００には、該交換レンズ３００をカメラ本体１００と電気的に接続するためのコネクタ３２２及びインターフェース３２０が設けられている。コネクタ３２２及びインターフェース３２０は、カメラ本体１００に設けられたコネクタ１２２及びインターフェース１２０を介して、後述するレンズシステム制御回路３５０とカメラ本体１００内のシステム制御回路５０との通信を可能とする。
【００２６】
３４０は後述する測光制御部４６からの測光情報に基づいて、シャッタ１２を制御するシャッタ制御部４０と連携しながら絞り３１２を制御する絞り制御部である。３４２はレンズユニット３１０のフォーカス動作を制御するフォーカス制御部、３４４はレンズユニット３１０の変倍を制御するズーム制御部である。
【００２７】
３５０は交換レンズ３００全体を制御するレンズシステム制御回路である。レンズシステム制御回路３５０は、各種動作用の定数、変数、コンピュータプログラム等を記憶するメモリを備えている。
【００２８】
次に、カメラ本体１００内の回路構成について説明する。レンズユニット３１０及び絞り３１２を通過した被写体光は、ミラー１３０が撮像光路外に退避した状態（ミラー１３０がハーフミラーである場合は撮像光路内に配置された状態）で、開放されたシャッタ１２を通過して撮像素子１４上に被写体像を形成する。
【００２９】
１６は撮像素子１４から出力されるアナログ信号をデジタル信号に変換するＡ／Ｄ変換器である。１８は撮像素子１４、Ａ／Ｄ変換器１６及びＤ／Ａ変換器２６にクロック信号や制御信号を供給するタイミング発生回路であり、メモリ制御回路２２及びシステム制御回路５０により制御される。
【００３０】
２０は画像処理回路であり、Ａ／Ｄ変換器１６からのデータ又はメモリ制御回路２２からのデータに対して画素補間処理や色変換処理を行う。また、画像処理回路２０は、Ａ／Ｄ変換器１６から出力される画像データを用いて所定の演算処理を行う。これにより得られた演算結果に基づいて、システム制御回路５０は、シャッタ制御部４０及び焦点調節部４２を制御するためのＴＴＬ方式のオートフォーカス（ＡＦ）処理、自動露出（ＡＥ）処理及びフラッシュプリ発光（ＥＦ）処理を行う。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行う。
【００３１】
２２はメモリ制御回路であり、Ａ／Ｄ変換器１６、タイミング発生回路１８、画像処理回路２０、画像表示メモリ２４、Ｄ／Ａ変換器２６、メモリ３０及び圧縮・伸長回路３２を制御する。Ａ／Ｄ変換器１６から出力された画像データは、画像処理回路２０及びメモリ制御回路２２を介して、又はメモリ制御回路２２のみを介して画像表示メモリ２４又はメモリ３０に書き込まれる。
【００３２】
画像表示部２８は、画像表示メモリ２４に書き込まれた表示用の画像データであってＤ／Ａ変換器２６により変換されたアナログ画像信号を、図１及び図２に示したＬＣＤモニタユニット４１７に表示する。画像表示部２８（ＬＣＤモニタユニット４１７）に撮像により取得した画像データを逐次表示することで、電子ビューファインダ（ＥＶＦ）機能を実現することができる。また、画像表示部２８は、システム制御回路５０の指示により任意に表示をＯＮ／ＯＦＦすることが可能である。
【００３３】
メモリ３０は、撮像により取得した静止画像を格納する。また、メモリ３０は、動画撮影時に所定レートで連続的に書き込まれる画像のフレームバッファとして使用される。さらに、メモリ３０は、システム制御回路５０の作業領域としても使用される。
【００３４】
圧縮・伸長回路３２は、公知の画像圧縮方法を用いて画像データを圧縮・伸長する。圧縮・伸長回路３２は、メモリ３０に格納された画像を読み込んで圧縮処理又は伸長処理を行い、処理を終えたデータを再びメモリ３０に書き込む。
【００３５】
シャッタ制御部４０は、前述したように、絞り制御部３４０と連携しながら、測光制御部４６からの測光情報に基づいてシャッタ１２を制御する。
【００３６】
焦点調節部４２は、ミラー１３０を透過して不図示のサブミラーによって導かれた被写体光により形成される被写体像の位相差を検出することでＡＦ（オートフォーカス）処理を行う。また、焦点調節部４２による測定結果と、Ａ／Ｄ変換器１６からの画像データを画像処理回路２０によって演算した結果とを用いてＡＦ制御を行うようにしてもよい。
【００３７】
測光制御部４６は、不図示の測光センサからの出力に基づいて、ＡＥ（自動露出）処理を行う。
【００３８】
４８はフラッシュであり、ＡＦ補助光の投光機能やフラッシュ調光機能を有する。測光制御部４６はフラッシュ４８と連携して、ＥＦ（フラッシュ調光）処理を行う。
【００３９】
システム制御回路５０は、ＣＰＵやメモリを含み、カメラ本体１００の全体を制御する。５２はシステム制御回路５０の動作用の定数、変数、コンピュータプログラム等を記憶するメモリである。
【００４０】
５４はシステム制御回路５０でのコンピュータプログラムの実行に応じて、文字、画像、音声等を用いて、カメラの動作状態やメッセージ等を外部に通知するための通知部である。通知部５４は、ＬＣＤやＬＥＤ等による視覚的な表示を行ったり、音声による通知を行ったりする。また、通知部５４には、光学ファインダ１０４内に、絞り値、シャッタスピード値、合焦表示、手振れ警告表示、露出補正表示等を行うＬＣＤユニットが含まれる。
【００４１】
５６はコンピュータプログラム等が格納された電気的に消去・記録可能な不揮発性メモリであり、例えばＥＥＰＲＯＭが用いられる。
【００４２】
モードダイアルスイッチ６０は、各種撮像モードの選択を行うためのスイッチである。シャッタスイッチ（ＳＷ１）６２は、レリーズボタン１１４の第１ストローク操作（半押し操作）によってＯＮとなり、ＡＦ処理、ＡＥ処理、ＡＷＢ処理、ＥＦ処理等の動作開始を指示する。シャッタスイッチ（ＳＷ２）６４は、レリーズボタン１１４の第２ストローク操作（全押し操作）によってＯＮとなり、露光処理、現像処理及び記録処理からなる一連の撮像処理の動作開始を指示する。
【００４３】
操作部７０は、各種ボタンや前述したＬＣＤモニタ用タッチパネル４２２を含む。システム制御回路５０は、操作部７０からの信号に応じて各種動作を行う。
【００４４】
電源スイッチ７２は、カメラ本体１００の電源のオン／オフを切り換えるためのスイッチである。また、電源スイッチ７２の操作によって、カメラ本体１００に接続された交換レンズ３００、外部フラッシュ１１２、記録媒体２００及び他の付属装置（パーソナルコンピュータ等）２１０の電源のオン／オフも切り換えることができる。
【００４５】
８０は電源制御部であり、電池検出回路、ＤＣ−ＤＣコンバータ、通電するブロックを切り換えるスイッチ回路等により構成されている。電源制御部８０は、電池の装着の有無、電池の種類及び電池残量の検出を行い、その検出結果及びシステム制御回路５０の指示に基づいてＤＣ−ＤＣコンバータを制御し、必要な電圧を必要な期間、記録媒体２００を含む各部に供給する。
【００４６】
８２，８４はコネクタであり、電池８６からの電力をカメラ本体１００、交換レンズ３００、外部フラッシュ１１２、記録媒体２００及び他の付属装置２１０に供給する。
【００４７】
９０，９４は記録媒体２００及び付属装置２１０のインターフェースであり、９２，９６は記録媒体２００や付属装置２１０との接続を行うコネクタである。９８はコネクタ９２，９６に記録媒体２００や付属装置２１０が装着されているか否かを検出する着脱検出回路である。
【００４８】
６８はカメラ本体１００の傾きを検出する回転検出部である。検出された傾きに応じてＬＣＤモニタユニット４１７の表示や撮像動作が変更される。
【００４９】
次に、図４から図６及び図８を用いて、本実施例のシステム制御回路（登録手段、設定手段及び制御手段）５０における画像表示部２８及びＬＣＤモニタ用タッチパネル４２２に関する処理について説明する。これらの処理は、メモリ５２，５６に格納されたコンピュータプログラムに従って実行される。
【００５０】
図４には、タッチパネル４２２上でのタッチ操作（接触）が受け付けられる入力可能領域の設定処理を示している。
【００５１】
図４において、カメラ本体１００が動作を開始した状態で接眼検出部（検出手段）６６を通じてユーザの光学ファインダ１０４への接眼を検出すると、システム制御回路５０は、バックライト４１６を消灯する（Ｓ４０１）。そして、接眼検出中の動作（図５に示すタッチパネル特定入力の受け付け動作）を許可する（Ｓ４０２）。
【００５２】
次に、システム制御回路５０は、不揮発性メモリ５６に記憶された設定値を参照して、光学ファインダ１０４を通常覗く眼の情報としての利き眼の登録がなされているか否かを判断する（Ｓ４０３）。利き眼の登録は、ＬＣＤモニタユニット４１７に表示された利き眼登録用メニュー項目においてＬＣＤモニタ用タッチパネル４２２や他のスイッチの操作を通じて行うことができる。利き眼の登録操作がなされると、システム制御回路５０は不揮発性メモリ５６に利き眼の情報を登録（記憶する）。利き眼の登録がなされていない場合は、図４の処理を終了する。
【００５３】
一方、利き眼の登録がなされている場合は、登録されている利き眼が「右眼」であるか否かを判断する（Ｓ４０４）。利き眼が「右眼」である場合には、ＬＣＤモニタ用タッチパネル４２２のタッチ入力受付領域（入力可能領域）を図８Ｂに示す領域８０２に設定して（Ｓ４０６）、図４の処理を終了する。
【００５４】
また、Ｓ４０４において利き眼が「右眼」でない場合、すなわち「左眼」である場合は、ＬＣＤモニタ用タッチパネル４２２のタッチ入力受付領域（入力可能領域）を図８Ａに示す領域８０１に設定して（Ｓ４０５）、図４の処理を終了する。
【００５５】
図８Ａ及び図８Ｂには、ＬＣＤモニタ用タッチパネル４２２上での入力可能領域８０１，８０２を示している。入力可能領域８０１は、ＬＣＤモニタ用タッチパネル４２２上で左側に偏った領域（例えば、右端が光学ファインダ１０４の覗き窓の右端に相当する位置となる領域）である。この領域８０１は、ユーザが左眼で光学ファインダ１０４を覗く場合に鼻等の顔の一部が接触しにくい領域である。また、入力可能領域８０２は、ＬＣＤモニタ用タッチパネル４２２上で右側に偏った領域（例えば、左端が光学ファインダ１０４の覗き窓の左端に相当する位置となる領域）である。この領域８０２は、ユーザが右眼で光学ファインダ１０４を覗く場合に顔の一部が接触しにくい領域である。
【００５６】
光学ファインダ１０４に接眼した状態でユーザがタッチパネル４２２上で指でタッチ操作を行うと、システム制御回路５０は、該入力可能領域でのタッチ操作を有効なものとして受け付ける。一方、タッチパネル４２２上における入力可能領域以外の領域でタッチ操作がなされても、システム制御回路５０は、該タッチ操作を無視する（受け付けない）。
【００５７】
次に、図５に示すタッチパネル特定入力の受け付け動作について説明する。図４に示す処理によってタッチパネル４２２上における入力可能領域が設定された後、図７に示すようにユーザがタッチパネル４２２に触れると、システム制御回路５０は、タッチパネル４２２上での接触位置の移動方向と移動距離を求める（Ｓ５０１）。
【００５８】
そして、システム制御回路５０は、Ｓ５０１で取得した移動方向が「縦」であるか否かを判断し（Ｓ５０２）、「縦」である場合には不揮発性メモリ５６に記憶された設定値の１つである絞り値を変更する（Ｓ５０３）。また、移動方向が「縦」ではない場合は、該移動方向が「横」であるか否かを判断し（Ｓ５０４）、「横」であるの場合には不揮発性メモリ５６に記憶された設定値の１つであるシャッタスピード値を変更する（Ｓ５０５）。そして、移動方向が「横」でもない場合は、図５の処理を終了する。
【００５９】
さらに、システム制御回路５０は、Ｓ５０３，Ｓ５０５で変更した絞り値及びシャッタスピード値に対応するように、光学ファインダ１０４内に設けられたＬＣＤユニット（通知部５４）の表示を更新し（Ｓ５０６）、図５の処理を終了する。
【００６０】
なお、ここでは、タッチパネル４２２の操作によって絞り値及びシャッタスピード値を変更する場合について説明した。しかし、これらに代えて、焦点検出領域、露出補正値、調光補正値、測光モード値、ＩＳＯ値、オートフォーカスモード、ホワイトバランス設定、露出補正ブラケット設定等、他の設定値を変更するようにしてもよい。
【００６１】
このように、本実施例によれば、光学ファインダ１０４を覗いているユーザの顔の一部がタッチパネル４２２における入力可能領域以外の領域に接触しても、その接触は有効なタッチ操作として受け付けられず、該接触に応じた動作が行われない。このため、ユーザが意図しないタッチパネル４２２への接触によるカメラの誤動作を回避できる。一方、入力可能領域に接触すれば、有効なタッチ操作として受け付けられて該接触に応じた動作が行われるので、ユーザは快適にカメラの操作を行うことができる。
【００６２】
図６には、光学ファインダ１０４からの離眼を検出した場合の処理を示す。接眼検出部６６を通じてユーザが光学ファインダ１０４を覗くのを止めた（離眼した）ことを検出すると、システム制御回路５０は、バックライト４１６を点灯する（Ｓ６０１）。また、図５の処理を終了して（Ｓ６０２）、タッチパネル４２２上での入力可能領域の制限を解除する（Ｓ６０３）。そして、図６の処理を終了する。
【００６３】
なお、上記実施例（図８Ａ及び図８Ｂ）では、カメラを横位置で使用する場合のタッチパネル４２２上での入力可能領域の設定について説明したが、縦位置で使用する場合の入力可能領域を横位置で使用する場合とは異なるように設定してもよい。また、縦位置で使用する場合は、入力可能領域の制限を解除してもよい。
【００６４】
また、実施例（図７）では、バックライト消灯時のタッチパネルへ４２２の操作による特定入力として縦又は横の操作を受け付ける場合について説明したが、右回り回転操作や左回り回転操作等のダイヤル操作に準じた操作を特定入力とすることも可能である。
【００６５】
以上説明した各実施例は代表的な例にすぎず、本発明の実施に際しては、各実施例に対して種々の変形や変更が可能である。
【００６６】
例えば、上記実施例では、ＬＣＤモニタユニットに表示された登録メニュー上での操作を通じて利き眼の登録をユーザが行う場合について説明した。しかし、接眼検出部によって光学ファインダへの接眼が検出された場合にタッチパネル上への観察者の顔の一部（鼻等）の接触を検出したときに、その接触位置に応じて利き眼を自動判定し、これを利き眼の情報として登録するようにしてもよい。例えば、タッチパネル上の左側の領域に顔の一部の接触があったときは、利き眼を右眼とすればよい。
【図面の簡単な説明】
【００６７】
【図１】本発明の実施例であるデジタル一眼レフカメラの外観図。
【図２】実施例のカメラの内部構成を示す断面図。
【図３】実施例のカメラシステムの回路構成を示すブロック図。
【図４】実施例のカメラにおけるタッチパネル上での入力可能領域の設定処理を示すフローチャート。
【図５】実施例のカメラにおける特定入力受け付け処理を示すフローチャート。
【図６】実施例のカメラにおける離眼処理を示すフローチャート。
【図７】実施例のカメラにおけるタッチパネル上での操作例を示す背面図。
【図８Ａ】実施例のカメラにおけるタッチパネル上での入力可能領域（左眼の接眼時）を示す図。
【図８Ｂ】実施例のカメラにおけるタッチパネル上での入力可能領域（右眼の接眼時）を示す図。
【符号の説明】
【００６８】
５０  システム制御回路
５６  不揮発性メモリ
６６  接眼検出部
１０４  光学ファインダ
４１７  ＬＣＤモニタユニット
４２２  ＬＣＤモニタ用タッチパネル
【図１】
0004991621.tif 000002
【図２】
0004991621.tif 000003
【図３】
0004991621.tif 000004
【図４】
0004991621.tif 000005
【図５】
0004991621.tif 000006
【図６】
0004991621.tif 000007
【図７】
0004991621.tif 000008
【図８Ａ】
0004991621.tif 000009
【図８Ｂ】
0004991621.tif 000010